(57)【特許請求の範囲】
【請求項１】
ホスト機器から出力するアナログ色信号が入力する第１の入力手段と、
前記アナログ色信号に対して負論理のアナログ色信号が入力する第２の入力手段と、
前記第１の入力手段に入力したアナログ色信号を比較手段の非反転入力に出力する第１の出力手段と、
前記第２の入力手段に入力したアナログ色信号を比較手段の反転入力に出力する第２の出力手段とを有し、
前記比較手段は、前記非反転入力及び反転入力に入力するアナログ色信号の電圧レベルを比較し、デジタル色信号とすることを特徴とする色信号処理装置。
【請求項２】
前記ホスト機器は、パーソナルコンピュータであることを特徴とする請求項１記載の色信号処理装置。
【請求項３】
前記色信号は、前記パーソナルコンピュータに組み込まれたプログラムによって作成されたことを特徴とする請求項２記載の色信号処理装置。
【請求項４】
前記色信号は赤色信号であることを特徴とする請求項１記載の色信号処理装置。
【請求項５】
前記色信号は緑色信号であることを特徴とする請求項１記載の色信号処理装置。
【請求項６】
ホスト機器から出力する第１のアナログ色信号が一方の入力に供給され、該第１のアナログ色信号に対して負論理の第１のアナログ色信号が他方の入力に供給され、両入力信号の電圧レベルを比較し、デジタル色信号とする第１の比較手段と、
前記ホスト機器から出力する第２のアナログ色信号が一方の入力に供給され、該第２のアナログ色信号に対して負論理の第２のアナログ色信号が他方の入力に供給され、両入力信号の電圧レベルを比較し、デジタル色信号とする第２の比較手段と、
前記第１、第２の比較手段の出力である前記デジタル色信号を加工し、複数の色信号を作成する色信号作成手段と、
を有することを特徴とする色信号処理装置。
【請求項７】
前記色信号作成手段の出力に基づいて、複数色の表示を行う表示装置を駆動することを特徴とする請求項６記載の色信号処理装置。
【請求項８】
前記色信号は赤色信号であることを特徴とする請求項６記載の色信号処理装置。
【請求項９】
前記色信号は緑色信号であることを特徴とする請求項６記載の色信号処理装置。
【請求項１０】
前記色信号作成手段は、赤色信号及び緑色信号に基づき、青色及び白色を作成し、前記赤色信号及び緑色信号と共に４色の色信号を出力することを特徴とする請求項８、又は９記載の色信号処理装置。
【請求項１１】
前記色信号の正論理又は負論理の一方のアナログ色信号を作成する回路を内蔵し、他方のアナログ色信号はパーソナルコンピュータに組み込まれたプログラムにより作成することを特徴とする請求項２記載の色信号処理装置。
【発明の詳細な説明】
【０００１】
【発明の属する技術分野】
本発明は、パーソナルコンピュータ等のホスト機器から出力する色信号を処理する色信号処理装置に関する。
【０００２】
【従来の技術】
今日、多くのカラー表示装置が提案されている。例えば、色信号に基づき電磁石を駆動し４面表示を行う４面表示体は、例えば赤，青，緑，白で構成される４面を色信号に基づき電磁石で駆動し、表示データに基づくカラー表示を行うものである。この様な表示装置を駆動する色信号は、例えばパーソナルコンピュータから出力するアナログ色信号に基づいて作成する。すなわち、パーソナルコンピュータから出力するアナログ色信号を色信号処理回路によって所定レベルに増幅し、この信号をカラーボードに出力することで、カラーボードによって表示に必要な多色の色信号を作成するのである。
【０００３】
図４は従来のアナログ色信号処理回路の回路図である。同図において、入力Ｉには不図示のパーソナルコンピュータから出力する色信号が供給される。この色信号はコンデンサ１を介してトランジスタ２のベース（Ｂ）に供給される。この時、トランジスタ２のベース（Ｂ）に供給されるアナログ色信号の基準電圧レベル（直流電位）はトランジスタ３のベース（Ｂ）が接続した可変抵抗４によって決まる。すなわち、トランジスタ３のベース（Ｂ）電位は、トランジスタ３のベース（Ｂ）が接続する可変抵抗４のコモン端子（共通端子）４′の当接位置によって決定され、上記コモン端子４′の位置を可変抵抗４上で調整することによって、トランジスタ３のエミッタ（Ｅ）、ダイオード５を介してトランジスタ２のベース（Ｂ）電位が決まる。したがって、可変抵抗４によって設定された電圧レベルに基づくアナログ色信号は、トランジスタ２で増幅されてコンパレータ６の反転入力に供給され、コンパレータ６において分割抵抗Ｒ１，Ｒ２で設定された基準電圧値と比較される。そして、可変抵抗４を調整して、コンパレータ６に出力する色信号の直流成分の電圧レベルを基準電圧値に等しくするように調整し、コンパレータ６の出力である色信号を不図示のカラーボードに出力する。
【０００４】
具体的には、可変抵抗４を調整してコンパレータ６に出力する色信号の電圧レベルを調節し、コンパレータ６からデジタルデータを不図示のカラーボードに出力する。
【０００５】
【発明が解決しようとする課題】
しかしながら、上述のアナログ色信号処理回路では、色信号のレベル調整の為可変抵抗４を必要とする。この為、装置のコストアップの原因となる。
【０００６】
また、色信号のレベル調整は困難な作業であり、図２に示されるように色信号のハイレベルとローレベルの差が０．７Ｖしかなく、例えばアナログ色信号が入力しない時、基準電圧値近傍にトランジスタ２のエミッタの電圧を合わせることは調整に時間を要する。
【０００７】
本発明の課題は、色信号をレベル調整することなくカラーボードに出力し、困難な調整作業をなくすと共に、装置をコストアップすることのない色信号処理装置を提供することにある。
【０００８】
【課題を解決するための手段】
上記目的は本発明によれば、ホスト機器から出力するアナログ色信号が入力する第１の入力手段と、前記アナログ色信号に対して負論理のアナログ色信号が入力する第２の入力手段と、前記第１の入力手段に入力したアナログ色信号を比較手段の非反転入力に出力する第１の出力手段と、前記第２の入力手段に入力したアナログ色信号を比較手段の反転入力に出力する第２の出力手段とを有し、
前記比較手段は、前記非反転入力及び反転入力に入力するアナログ色信号の電圧レベルを比較し、デジタル信号を出力する色信号処理装置を提供することにより達成できる。
【０００９】
また、前記ホスト機器は、例えばパーソナルコンピュータであり、本発明の色信号処理装置に入力する前記色信号は、例えばこのパーソナルコンピュータに組み込まれたプログラムによって作成する構成である。また、例えば正論理又は負論理の色信号の一方のみをパーソナルコンピュータで作成する構成としても良い。
【００１０】
また、前記色信号は例えば赤色信号であり、例えば緑色信号である。
上記目的は本発明によれば、前記ホスト機器から出力するアナログ色信号が一方の入力に供給され、該アナログ色信号に対して負論理のアナログ色信号が他方の入力に供給され、両入力信号の電圧レベルを比較し、デジタル信号を出力する第１の比較手段と、前記ホスト機器から出力する他のアナログ色信号が一方の入力に供給され、該他のアナログ色信号に対して負論理のアナログ色信号が他方の入力に供給され、両入力信号の電圧レベルを比較し、デジタル信号を出力する第２の比較手段と、前記第１、第２の比較手段の出力から前記アナログ色信号を加工し、複数の色信号を作成する色信号作成手段とで構成される色信号処理装置を提供することにより達成できる。
【００１１】
また、前記色信号処理装置は、色信号作成手段の出力に基づいて、複数色の表示を行う表示装置を駆動する構成である。
また、前記色信号は例えば赤色信号であり、前記色信号は例えば緑色信号であり、前記色信号作成手段は、赤色信号及び緑色信号に基づき、青色及び白色を作成し、前記赤色信号及び緑色信号と共に４色の色信号を出力する構成である。
【００１２】
この様に構成することにより、調整抵抗を使用することなくパーソナルコンピュータ等のホスト機器から出力する色信号を所定レベルに増幅し、例えば赤色信号、及び緑色信号から青色及び白色信号を作成し、多色の表示器（例えば４色の４面表示体）を駆動することができる。
【００１３】
【発明の実施の形態】
本発明を適用した一実施形態について、以下に図面を用いて説明する。
図１は、一実施形態の色信号処理装置に適用する処理回路の回路図である。同図において、処理回路８は２個のコンデンサ９，１０と、３個のトランジスタ１１〜１３、コンパレータ１４、ダイオード１５，１６、抵抗Ｒ５〜Ｒ１０で構成されている。
【００１４】
２個のコンデンサ９，１０には、不図示のパーソナルコンピュータから出力する色信号が入力する。例えば、コンデンサ９にはパーソナルコンピュータから出力するアナログ赤色信号が入力し、コンデンサ１０にはコンデンサ９に入力する上述のアナログ赤色信号に対して負論理の信号（アナログ赤色信号）が入力する。
【００１５】
尚、コンデンサ９及び１０に入力するアナログ赤色信号は、パーソナルコンピュータにインストールしたプログラムに従って作成される。また、本実施形態の色信号処理装置には図１に示す回路と同じ構成の処理回路がもう一組配設され、その回路のコンデンサ９，１０には、例えばアナログ緑色信号の正論理の信号と負論理の信号が入力する。
【００１６】
コンデンサ９に入力したアナログ赤色信号は、トランジスタ１２のベース（Ｂ）に供給される。また、このトランジスタ１２のベース（Ｂ）電位は、ダイオード１５を介してトランジスタ１１で設定する電圧に予めセットされている。すなわち、この電圧はトランジスタ１１のベース（Ｂ）に印加する電圧によって設定され、具体的には分割抵抗（ブリーダ抵抗）Ｒ５，Ｒ６の抵抗値で設定する。尚、この分割抵抗（ブリーダ抵抗）Ｒ５、Ｒ６で設定した電圧はトランジスタ１１のエミッタ（Ｅ）からダイオード１６を介してトランジスタ１３のベース（Ｂ）電位も設定する。
【００１７】
したがって、コンデンサ９に入力し、コンデンサ９からトランジスタ１２のベース（Ｂ）に供給されるアナログ赤色信号の基準出力レベルは、上述の分割抵抗（ブリーダ抵抗）Ｒ５，Ｒ６によって予め設定された電圧である。また、コンデンサ１０に入力し、コンデンサ１０からトランジスタ１３のベース（Ｂ）に供給される逆論理のアナログ赤色信号の出力レベルも上述の分割抵抗（ブリーダ抵抗）Ｒ５，Ｒ６によって予め設定された同じ基準電圧である。
【００１８】
トランジスタ１２，１３は増幅回路であり、トランジスタ１２及び１３のベース（Ｂ）に入力するアナログ赤色信号と、このアナログ赤色信号に対して逆論理の信号をコンパレータ１４の入力に出力する。すなわち、（正論理の）アナログ赤色信号はトランジスタ１２を介してコンパレータ１４の＋（非反転）入力に入力し、（負論理の）アナログ赤色信号はトランジスタ１３を介してコンパレータ１４の−（反転）入力に入力する。コンパレータ１４は両入力信号を比較する。
【００１９】
尚、トランジスタ１２のコレクタ（Ｃ）と電源（＋５Ｖ）間には抵抗Ｒ７が接続され、エミッタ（Ｅ）と電源（−５Ｖ）間には抵抗Ｒ８が接続され、トランジスタ１３のコレクタ（Ｃ）と電源（＋５Ｖ）間には抵抗Ｒ９が接続され、トランジスタ１３のエミッタ（Ｅ）と電源（−５Ｖ）間には抵抗Ｒ１０が接続されている。
【００２０】
以上の構成の色信号処理回路において、以下に回路動作を説明する。
前述の様に、パーソナルコンピュータにインストールしたプログラムに基づいて、色信号処理回路８の入力Ｉ１，Ｉ２にはアナログ赤色信号の正論理、負論理の信号が入力する。また、このアナログ赤色信号は後述する表示装置を駆動し、表示装置にカラー表示を行う為の信号である。
【００２１】
入力Ｉ１，Ｉ２に供給されたアナログ赤色信号は、正論理のアナログ赤色信号がトランジスタ１２を介してコンパレータ１４の＋入力に供給され、負論理のアナログ赤色信号がトランジスタ１３を介してコンパレータ１４の−入力に供給される。この時、トランジスタ１２，１３のベース（Ｂ）電位は、上述ように分割抵抗（ブリーダ抵抗）Ｒ５，Ｒ６によって予め設定された電圧であり、同電位の電圧である。また、トランジスタ１２のベース（Ｂ）及びトランジスタ１３のベース（Ｂ）には正論理、負論理の互いに反対論理のアナログ赤色信号が供給されることになる。したがって、コンパレータ１４の＋入力及び−入力には図２に示す反対論理のアナログ赤色信号が入力し、コンパレータ１４の出力は同図に示す出力となる。すなわち、コンパレータ１４の出力は両信号の電圧レベルの比較結果が出力され、不図示のカラーボードにコンパレータ１４の出力を供給する際、確実にデジタル信号をカラーボードに供給することができる。
【００２２】
一方、図には示さないが、上述の図１と同じ構成の処理回路が本実施形態の色信号処理装置には設けられており、その処理回路には例えばアナログ緑色信号が供給され、上述と同様正論理、負論理のアナログ緑色信号がトランジスタ（１２）、（１３）を介してコンパレータ（１４）に入力し、コンパレータ（１４）から二値化された電圧レベルの緑色信号を出力する。
【００２３】
上述のアナログ赤色信号、及びアナログ緑色信号供給されると、不図示のカラーボードでは両信号を加工し、例えば青色及び白色を作成し、前記赤色信号及び緑色信号と共に４色の色信号を出力する。図３はこの時の真理値表を示す。
【００２４】
尚、上述の４色の色信号の出力を、例えば４色の４面表示体の駆動コイルに出力することでカラー表示を行うことができる。
したがって、上述の様に構成することで調整抵抗を使用することなく、アナログ色信号のレベルを調整するといった面倒な作業を行うことなしに、正確かつ簡単に色信号のアナログ・デジタル変換を実現できる。
【００２５】
尚、上述の実施形態の説明では処理回路に入力する信号としてアナログ赤色信号、及びアナログ緑色信号を使用してたが、他の色のアナログ色信号を使用できることは勿論である。
【００２６】
また、正論理又は負論理の色信号の一方のみパーソナルコンピュータで作成する構成とし、他方の色信号は本実施形態の装置内で作成する構成としても良い。
【００２７】
【発明の効果】
本発明によれば、可変抵抗を使用しないので装置をコストダウンすることができる。
【００２８】
また、困難な可変抵抗の調整が不要となる。
【図面の簡単な説明】
【図１】一実施形態の色信号処理装置の信号処理回路の回路図である。
【図２】一実施形態の色信号処理装置における反対論理のアナログ赤色信号の信号合成を説明する図である。
【図３】色信号作成の真理値表を示す図である。
【図４】従来例の色信号処理装置の信号処理回路の回路図である。
【符号の説明】
８        処理回路
９，１０        コンデンサ
１１〜１３        トランジスタ
１４        コンパレータ
１５，１６        ダイオード
Ｒ５〜Ｒ１０        抵抗
【図１】
0003591745.tif 000002
【図２】
0003591745.tif 000003
【図３】
0003591745.tif 000004
【図４】
0003591745.tif 000005